(57)【特許請求の範囲】
【請求項１】
エレベータ昇降路内の上下方向に配置されたエレベータロープを保護するエレベータロープ保護具であって、
前記エレベータ昇降路内を昇降する作業用昇降体に取り付けられる取付部材と、この取付部材に装着され、前記エレベータロープの外周を隙間なく囲む絶縁保護布とを備え、
前記取付部材は、前記エレベータロープの外周に配置される布装着手段を有する取付プレートであり、
前記布装着手段は、前記エレベータロープの外周に沿って設けられた布通しロッドであり、この布通しロッドに前記絶縁保護布の端に設けられた通し孔を通して一部オーバーラップするように前記絶縁保護布を前記取付プレートに装着したことを特徴とするエレベータロープ保護具。
【請求項２】
エレベータ昇降路内の上下方向に配置されたエレベータロープを保護するエレベータロープ保護具であって、
前記エレベータ昇降路内を昇降する作業用昇降体に取り付けられる取付部材と、この取付部材に装着され、前記エレベータロープの外周を隙間なく囲む絶縁保護布とを備え、
前記取付部材は、前記エレベータロープの外周に配置される布装着手段を有する取付プレートであり、
前記布装着手段は、前記エレベータロープの外周の適所に配置される布フック部であり、この複数の布フック部に前記絶縁保護布の端に設けられたフック用孔を引っ掛けて一部オーバーラップするように前記絶縁保護布を前記取付プレートに装着したことを特徴とするエレベータロープ保護具。
【請求項３】
請求項１又は請求項２に記載されたエレベータロープ保護具であって、
前記取付プレートは、固定されたナットを有し、このナットに前記作業用昇降体の部材に挿通されたボルトを螺入することにより前記取付プレートを前記作業用昇降体に取り付けたことを特徴とするエレベータロープ保護具。
【請求項４】
請求項３に記載されたエレベータロープ保護具であって、
前記ナットは、前記布取付手段から異なる距離となる複数位置に設けられたことを特徴とするエレベータロープ保護具。
【請求項５】
請求項１乃至請求項４のいずれかに記載されたエレベータロープ保護具であって、
前記絶縁保護布は、不燃材にて形成されていることを特徴とするエレベータロープ保護具。
【請求項６】
請求項１に記載されたエレベータロープ保護具であって、
前記布通しロッドは、全円周に対して一部のみの欠損した上円弧状ロッド部と、前記全円周に対して一部のみの下円弧状ロッド部とからなり、
上円弧状ロッド部と下円弧状ロッド部とは、上下方向に所定の間隔寸法を開けて配置されていることを特徴とするエレベータロープ保護具。
【発明の詳細な説明】
【０００１】
【発明の属する技術分野】
本発明は、エレベータ据付工事において溶接棒がエレベータロープに接触するのを防止するエレベータロープ保護具に関する。
【０００２】
【従来の技術】
ガイドレールの近くにエレベータロープが配置されているエレベータ据付工事では、ガイドレールのレールブラケットを溶接する際に、誤って溶接棒がエレベータロープに触れるおそれがある。溶接棒がエレベータロープに触れると、エレベータロープ、巻上機、制御盤等を壊してしまうおそれがあった。このような事故を防止するために図１０に示すようなエレベータロープ保護具が使用されている。
【０００３】
図１０に示すように、エレベータロープ保護具５０は、一端側が本設かご５１に結ばれた２本の取付紐５２と、この各取付紐５２の他端側が結ばれ、エレベータロープ５３の外周を囲むように配置された円筒状のメッシュ保護部材５４とから構成されている。メッシュ保護部材５４は、絶縁プラスチック製でメッシュ構造を有し、上下方向にスリット５５が形成されている。
【０００４】
このエレベータロープ保護具５０の取り付けは、２本の取付紐５２を介して本設かご５１とメッシュ保護部材５４とを連結し、メッシュ保護部材５４のスリット５５よりエレベータロープ５３をメッシュ保護部材５４内に挿入して用いられる。そして、本設かご５１に載った作業者が所望の作業位置に位置するために本設かご５１を昇降させると、取り付け紐５２に連結されたメッシュ保護部材５４が共に昇降し、メッシュ保護部材５４が作業高さ位置のエレベータロープ５３の外周を覆う。従って、作業者が誤って溶接棒をエレベータロープ５３に近接させてもメッシュ保護部材５４に接触するのみでエレベータロープ５３に直接接触することがなく、エレベータロープ、巻上機、制御盤等を壊すような事故を未然に防止することができる。
【０００５】
【発明が解決しようとする課題】
しかしながら、上記した従来のエレベータロープ保護具５０では、本設かご５１の昇降時にメッシュ保護部材５４が引っ張られ、メッシュ保護部材５４のスリット５５からエレベータロープ５３が外れるおそれがある。エレベータロープ５３からメッシュ保護部材５４が外れると、メッシュ保護部材５４を本設かご５１の停止後に再度装着し直さねばならず面倒であるという問題があった。
【０００６】
また、エレベータロープ５３をメッシュ保護部材５４で覆っているため、そのメッシュ目より溶接時の小さい火花やグラインダ使用時の細かい切り粉を通してしまい、火花や切り粉によりエレベータロープ５３を保護できないという問題があった。
【０００７】
そこで、本発明は、前記した課題を解決すべくなされたものであり、作業用昇降体の昇降時にエレベータロープから絶縁保護布が外れるおそれがなく、且つ、溶接時の小さい火花やグラインダ使用時の細かい切り粉からも保護できるエレベータロープ保護具を提供することを目的とする。
【０００８】
【課題を解決するための手段】
請求項１記載の発明は、エレベータ昇降路内の上下方向に配置されたエレベータロープを保護するエレベータロープ保護具であって、前記エレベータ昇降路内を昇降する作業用昇降体に取り付けられる取付部材と、この取付部材に装着され、前記エレベータロープの外周を隙間なく囲む絶縁保護布とを備え、前記取付部材は、前記エレベータロープの外周に配置される布装着手段を有する取付プレートであり、前記布装着手段は、前記エレベータロープの外周に沿って設けられた布通しロッドであり、この布通しロッドに前記絶縁保護布の端に設けられた通し孔を通して一部オーバーラップするように前記絶縁保護布を前記取付プレートに装着したことを特徴とする。
【０００９】
請求項１記載の発明では、エレベータロープの外周を隙間なく絶縁保護布が覆う。このため、絶縁保護布が溶接時に発生する火花や切り粉が内部のエレベータロープ側へ及ばないように保護する作用と、作業用昇降体の昇降時にエレベータロープから絶縁保護布が外れることを防止する作用がある。
【００１０】
また、取付プレートにより絶縁保護布をエレベータロープに接触しないように装着可能であるため、作業用昇降体の昇降時に絶縁保護布がエレベータロープにほとんど接触することなく昇降され、スムーズに昇降できる。
【００１１】
さらに、取付プレートの布通しロッドに絶縁保護布の通し孔を通すことにより絶縁保護布を装着できるため、絶縁保護布の着脱作業が容易である。また、この装着された絶縁保護布が一部オーバーラップ状態でエレベータロープの外周を覆うため、エレベータロープの全外周を確実に保護できる。
【００１２】
請求項２記載の発明は、エレベータ昇降路内の上下方向に配置されたエレベータロープを保護するエレベータロープ保護具であって、前記エレベータ昇降路内を昇降する作業用昇降体に取り付けられる取付部材と、この取付部材に装着され、前記エレベータロープの外周を隙間なく囲む絶縁保護布とを備え、前記取付部材は、前記エレベータロープの外周に配置される布装着手段を有する取付プレートであり、前記布装着手段は、前記エレベータロープの外周の適所に配置される布フック部であり、この複数の布フック部に前記絶縁保護布の端に設けられたフック用孔を引っ掛けて一部オーバーラップするように前記絶縁保護布を前記取付プレートに装着したことを特徴とする。
【００１３】
請求項２記載の発明では、エレベータロープの外周を隙間なく絶縁保護布が覆う。このため、絶縁保護布が溶接時に発生する火花や切り粉が内部のエレベータロープ側へ及ばないように保護する作用と、作業用昇降体の昇降時にエレベータロープから絶縁保護布が外れることを防止する作用がある。
【００１４】
また、取付プレートにより絶縁保護布をエレベータロープに接触しないように装着可能であるため、作業用昇降体の昇降時に絶縁保護布がエレベータロープにほとんど接触することなく昇降され、スムーズに昇降できる。
【００１５】
さらに、取付プレートの布フック部に絶縁保護布のフック孔を引っ掛けることにより絶縁保護布を装着できるため、絶縁保護布の着脱作業が容易である。また、この装着された絶縁保護布が一部オーバーラップ状態でエレベータロープの外周を覆うため、エレベータロープの全外周を確実に保護できる。
【００１６】
請求項３記載の発明は、請求項１又は請求項２に記載されたエレベータロープ保護具であって、前記取付プレートは、固定されたナットを有し、このナットに前記作業用昇降体の部材に挿通されたボルトを螺入することにより前記取付プレートを前記作業用昇降体に取り付けたことを特徴とする。
【００１７】
請求項３記載の発明では、請求項１又は請求項２に記載された発明の作用に加え、ボルトを螺入することで取付プレートを固定できるため、取付プレートの固定作業を容易に行える。
【００１８】
請求項４記載の発明は、請求項３に記載されたエレベータロープ保護具であって、前記ナットは、前記布取付手段から異なる距離となる複数位置に設けられたことを特徴とする。
【００１９】
請求項４記載の発明では、請求項３に記載された発明の作用に加え、ボルトを螺入するナットを可変することにより絶縁保護布の装着位置を調整できるため、絶縁保護布をエレベータロープの適切な外周位置に配置できる。
【００２０】
なお、本発明は、前記取付部材は、一端側が前記作業用昇降体に結合された上下一対の取付紐であり、この各取付紐の他端側が前記エレベータロープの外周に隙間なく覆う状態とされた前記絶縁保護布の上下端に結合されてもよい。
【００２１】
この場合、絶縁保護布を取付紐で作業用昇降体に連結できるため、取付作業が容易であり、取付紐を結べる箇所であればどこでも取付できることから取付箇所のバリエーションが増加する。
【００２２】
請求項５記載の発明は、請求項１乃至請求項４のいずれかに記載されたエレベータロープ保護具であって、前記絶縁保護布は、不燃材にて形成されていることを特徴とする。この請求項５記載の発明では、請求項１乃至請求項４のいずれかに記載された発明の作用に加え、溶接火花に対して耐火性を持たせることができる。
【００２３】
請求項６記載の発明は、請求項１に記載されたエレベータロープ保護具であって、前記布通しロッドは、全円周に対して一部のみの欠損した上円弧状ロッド部と、前記全円周に対して一部のみの下円弧状ロッド部とからなり、上円弧状ロッド部と下円弧状ロッド部とは、上下方向に所定の間隔寸法を開けて配置されていることを特徴とする。
【００２４】
【発明の実施の形態】
以下、本発明の実施形態を図面に基づいて説明する。
【００２５】
図１〜図３は本発明の第１実施形態を示している。図１はエレベータロープ保護具の取付前の状態を示す斜視図、図２はエレベータロープ保護具を取り付けた状態を示す斜視図、図３はエレベータロープ保護具を取り付けた状態を示す側面図である。
【００２６】
図に示すように、エレベータロープ保護具１Ａは、エレベータ昇降路（図示せず）内を昇降する図３に示す本設かご（作業用昇降体）２に取り付けされる取付部材としての取付プレート３と、この取付プレート３の先端に装着される絶縁保護布４とから構成されている。取付プレート３は、平板状のアーム部５と、このアーム部５の先端に固定された円弧状プレート部６とを備えている。アーム部５にはボルト挿通孔（図示せず）が形成され、アーム部５の上面にこのボルト挿入孔と連通するようにナット７が固着されている。円弧状プレート部６には、布装着手段である布通しロッド８が突設されている。この布通しロッド８は、全円周に対して一部のみ欠損した上円弧状ロッド部８ａと、全円周に対して一部のみの下円弧状ロッド部８ｂとからなり、図１に示すように、上円弧状ロッド部８ａと下円弧状ロッド部８ｂとは上下方向に所定の間隙寸法ｈを開けて配置されている。この間隙寸法ｈは、後述する絶縁保護布４の通し孔９を双方のロッド部８ａ、８ｂに共に通すのに支障のない程度の長さに設定されている。
【００２７】
絶縁保護布４は、電気絶縁性を有する不燃材の目の細かな布で方形状に形成されている。そして、この絶縁保護布４の上端辺の全域には通し孔９が設けられている。通し孔９は、例えば絶縁保護布８の上端を一部折り返し、この折り返した部分を縫い合わせることによって作製される。
【００２８】
このエレベータロープ保護具１Ａの取り付けは、図３に示すように、本設かご２の天井板１０に取付プレート３を載せ、取付プレート３のナット７の位置と天井板１０のボルト挿通孔（図示せず）の位置とを合わせ、天井板１０の下方よりチョウボルト１１をナット７に螺入する。この際に取付プレート３の布通しロッド８がエレベータロープ１２の外周に配置されるように位置合わせしてチョウボルト１１を締結する。これにより取付プレート３が天井板１０に固定される。次に、絶縁保護布４の通し孔９の一方側より上円弧状ロッド部８ａを通し、上円弧状ロッド部８ａの最奥まで通すと絶縁保護布４の通し孔９の他方側より下円弧状ロッド部８ｂを通せば完了する。絶縁保護布４は、エレベータロープ１２の外周に円周状で、且つ、一部オーバーラップ状態で装着される。
【００２９】
上記構成において、本設かご２に載った作業者が所望の作業位置に位置するために本設かご２を昇降させると、本設かご２に取付プレート３に介して固定された絶縁保護布４が共に昇降し、絶縁保護布４が作業高さ位置のエレベータロープ１２の周りを常に覆う。従って、作業者が誤って溶接棒（図示せず）をエレベータロープ１２に近付けても絶縁保護布４に接触するのみでエレベータロープ１２に直接接触することがなく、エレベータロープ１２、巻上機（図示せず）、制御盤（図示せず）等を壊すような事故を未然に防止できる。そして、エレベータロープ１２の周りを隙間なく絶縁保護布４が覆うため、本設かご２の昇降時にエレベータロープ１２から絶縁保護布４が外れるおそれがない。また、絶縁保護布４が火花や切り粉を内部に通さないため、溶接時の小さい火花やグラインダ使用時の細かい切り粉からもエレベータロープ１２を保護できる。
【００３０】
この第１実施形態では、取付部材は、エレベータロープ１２の外周に配置される布装着手段を有する取付プレート３であるため、取付プレート３により絶縁保護布４をエレベータロープ１２に接触しないように装着可能である。このため、本設かご２の昇降時に絶縁保護布４がエレベータロープ１２にほとんど接触することなく円滑な昇降が可能である。
【００３１】
この第１実施形態では、布装着手段は、エレベータロープ１２の外周に沿って設けられた布通しロッド８であり、この布通しロッド８に絶縁保護布４の端に設けられた通し孔９を通して一部オーバーラップするように絶縁保護布４を取付プレート３に装着するため、取付プレート３の布通しロッド８に絶縁保護布４の通し孔９を通すことにより絶縁保護布４を装着できるため、絶縁保護布４の着脱作業が容易である。また、この装着された絶縁保護布４が一部オーバーラップ状態でエレベータロープ１２の外周を覆うため、エレベータロープ１２の全外周を確実に保護できる。
【００３２】
この第１実施形態では、取付プレート３は、固定されたナット７を有し、このナット７に本設かご２の天井板１０に挿通したチョウボルト１１を螺入することで取付プレート３の固定作業が容易である。
【００３３】
この第１実施形態では、絶縁保護布４は、不燃材にて形成されているため、溶接火花に対して耐火性がある。
【００３４】
図４及び図５は本発明の第２実施形態を示し、図４（ａ）は取付プレートの平面図、図４（ｂ）はその側面図、図４（ｃ）はその正面図、図５は絶縁保護布の斜視図である。
【００３５】
図４及び図５に示すように、エレベータロープ保護具１Ｂは、エレベータ昇降路（図示せず）内を昇降する本設かご（作業用昇降体）２に取り付けされる取付部材としての取付プレート１３と、この取付プレート１３の先端に装着される絶縁保護布１４とから構成されている。取付プレート１３は、平板状のアーム部１５と、このアーム部１５の先端に固定された半円弧状プレート部１６とを備えている。アーム部１５にはボルト挿通孔（図示せず）が形成されていると共にボルト挿入孔（図示せず）の上面にはナット７が固定されている。アーム部１５の先端及び半円弧状プレート部６には布装着手段である布フック部１８が３箇所に突設されている。
【００３６】
絶縁保護布１４は、電気絶縁性を有する不燃材の目の細かな布で形成され、方形状を有している。そして、方形状の上端辺付近には一定間隔に４つのフック用孔１９が設けられている。
【００３７】
このエレベータロープ保護具１Ｂの取り付けは、上記した第１実施形態と同様に、本設かご２の天井板（図示せず）に取付プレート１３を載せ、取付プレート１３のナット７の位置と天井板（図示せず）のボルト挿通孔（図示せず）の位置とを合わせ、天井板（図示せず）の下方よりチョウボルト（図示せず）をナット７に螺入する。この際に取付プレート１３の３箇所の布フック部１８がエレベータロープ（図示せず）の外周に配置されるように位置合わせしてチョウボルト（図示せず）を締結する。これにより取付プレート１３が天井板（図示せず）に固定される。次に、３箇所の布フック部１８に絶縁保護布１４のフック用孔１９を順次引っ掛け、余ったフック用孔１９を最初に引っ掛けた布フック部１８に重ねて引っ掛ければ完了する。絶縁保護布１４は、エレベータロープ（図示せず）の周りを取り囲み、且つ、一部オーバーラップ状態で装着される。
【００３８】
この第２実施形態でも、前記第１実施形態と同様に、エレベータロープ（図示せず）の外周を隙間なく絶縁保護布１４が取り囲むため、本設かご（図示せず）の昇降時にエレベータロープ（図示せず）から絶縁保護布１４が外れるおそれがない。また、絶縁保護布１４が火花や切り粉を内部に通さないため、溶接時の小さい火花やグラインダ使用時の細かい切り粉からもエレベータロープ（図示せず）を保護できる。
【００３９】
この第２実施形態では、布装着手段は、エレベータロープの外周の適所に配置される布フック部１８であり、この複数の布フック部１８に絶縁保護布１４の端に設けられたフック用孔１９を引っ掛けて一部オーバーラップするように絶縁保護布１４を取付プレート１３に装着したことにより、絶縁保護布１４の着脱作業が容易である。また、この装着された絶縁保護布１４が一部オーバーラップ状態でエレベータロープ（図示せず）の周りを覆うため、エレベータロープ（図示せず）の全外周を確実に保護できる。
【００４０】
図６〜図８は本発明の第３実施形態を示し、図６は取付紐の斜視図、図７は絶縁保護布の斜視図、図８はエレベータロープ保護具を取り付けた状態の斜視図である。
【００４１】
図６〜図８に示すように、エレベータロープ保護具１Ｃは、エレベータ昇降路（図示せず）内を昇降する本設かご（作業用昇降体）２に取り付けされる取付部材である２本の取付紐２０ａ、２０ｂと、この各取付紐２０ａ、２０ｂの先端側に結合された絶縁保護布２１とから構成されている。
【００４２】
上方の取付紐２０ａの一端側は、本設かご２の天井板１０に結ばれ、下方の取付紐２０ｂの一端側は、本設かご２の手摺２２に結ばれている。
【００４３】
絶縁保護布２１は、絶縁製で、且つ、不燃材の目の細かな布で形成され、方形状を有している。そして、方形状の４隅にはそれぞれ結合用孔２３が設けられている。エレベータロープ１２の外周を囲むようにして丸められた絶縁保護布２１の上端同士の結合用孔２３が取付紐２０ａの他端側に結合され、下端同士の結合用孔２３が取付紐２０ｂの他端側に結合されている。
【００４４】
このエレベータロープ保護具１Ｃの取り付けは、本設かご２の天井板１０及び手摺２２に取付紐２０ａ，２０ｂの一端側を結合する。次に、エレベータロープ１２の外周を覆うように絶縁保護布２１を丸めた状態で配置し、絶縁保護布２１の上端の２つの結合用孔２３を重ね合わせ、この重ね合わせた結合用孔２３に取付紐２０ａの他端側を通して結合する。また、絶縁保護布２１の下端の２つの結合用孔２３も重ね合わせ、この重ね合わせた結合用孔２３に取付紐２０ｂの他端側を通して結合すれば完了する。絶縁保護布２１は、エレベータロープ１２の外周で、且つ、一部オーバーラップ状態で装着される。
【００４５】
この第３実施形態でも、前記第１、第２実施形態と同様に、エレベータロープ１２の外周を隙間なく絶縁保護布２１が覆うため、本設かご２の昇降時にエレベータロープ１２から絶縁保護布２１が外れるおそれがない。また、絶縁保護布２１が火花や切り粉を内部に通さないため、溶接時の小さい火花やグラインダ使用時の細かい切り粉からもエレベータロープ１２を保護できる。
【００４６】
この第３実施形態では、絶縁保護布２１を取付紐２０ａ、２０ｂで本設かご２に連結できるため、取付作業が容易であり、取付紐２０ａ、２０ｂを結べる箇所であればどこでも取付できることから取付箇所のバリエーションが増加する。
【００４７】
図９は本発明の第４実施形態を示し、図９（ａ）は取付プレートの正面図、図９（ｂ）はその平面図である。
【００４８】
図９において、この第４実施形態のエレベータロープ保護具１Ｄは、前記第１実施形態のエレベータロープ保護具１Ａと比較するに、取付プレート３のアーム部５の３箇所にボルト挿通孔（図示せず）が形成されていると共に各ボルト挿入孔（図示せず）の上面にはナット７がそれぞれ固定されている。つまり、ナット７は、布通しロッド８から異なる距離となる３つの位置に設けられている。他の構成は同じであるため、説明を省略する。
【００４９】
このエレベータロープ保護具１Ｄでも、エレベータロープ（図示せず）の外周を隙間なく絶縁保護布（図示せず）が覆うため、本設かご（図示せず）の昇降時にエレベータロープ（図示せず）から絶縁保護布（図示せず）が外れるおそれがない。また、絶縁保護布（図示せず）が火花や切り粉を内部に通さないため、溶接時の小さい火花やグラインダ使用時の細かい切り粉からもエレベータロープ（図示せず）を保護できる。
【００５０】
この第４実施形態では、ナット７は、布通しロッド８から異なる距離となる複数位置に設けられているため、チョウボルト（図示せず）を螺入するナット７を可変することにより絶縁保護布（図示せず）の装着位置を調整できるため、絶縁保護布（図示せず）をエレベータロープ（図示せず）の適切な外周位置に配置できる。
【００５１】
なお、上記した第１〜第４実施形態によれば、作業者が乗る作業用昇降体は、本設かご２であるが、ゴンドラであってももちろんよい。
【００５２】
また、上記した第１〜第４実施形態によれば、絶縁保護布４，１４，２１がエレベータロープ１２の外周に一部オーバーラップ状態で配置される場合を示したが、エレベータロープ１２の外周を隙間なく囲むことができれば、オーバーラップしない状態で配置しても良い。
【００５３】
さらに、各実施形態では、絶縁保護布４、１４、２１により１本のエレベータロープ１２の周りを隙間なく覆う例を示したが、２本以上のエレベータロープ１２の外周を覆っても良いことはもちろんである。
【００５４】
また、上記した第１、第２、第４実施形態にあっては、取付プレート３、１３を取り付けるために本設かご２の天井板１０に設けられるボルト挿通孔（図示せず）は、予め加工して形成しても良いが、天井板１０にエキスパンドメタル、パンチングメタル等を使用した場合はその孔を使用してもよい。
【００５５】
【発明の効果】
以上説明したように、本発明によれば、エレベータロープを保護するエレベータロープ保護具であって、エレベータ昇降路内を昇降する作業用昇降体に取り付けられる取付部材と、この取付部材に装着され、エレベータロープの外周を隙間なく囲む絶縁保護布とを備えたことにより、エレベータロープの外周を隙間なく絶縁保護布が覆い、絶縁保護布が火花や切り粉を内部に通さない。従って、作業用昇降体の昇降時にエレベータロープから絶縁保護布が外れるおそれがなく、且つ、溶接時の小さい火花やグラインダ使用時の細かい切り粉からもエレベータロープを保護できる。
【図面の簡単な説明】
【図１】本発明の第１実施形態を示し、エレベータロープ保護具の取付前の斜視図。
【図２】本発明の第１実施形態を示し、エレベータロープ保護具を取り付けた状態の斜視図。
【図３】本発明の第１実施形態を示し、エレベータロープ保護具を取り付けた状態の側面図。
【図４】本発明の第２実施形態を示し、（ａ）は取付プレートの平面図、（ｂ）はその側面図、（ｃ）はその正面図。
【図５】本発明の第２実施形態を示し、絶縁保護布の斜視図。
【図６】本発明の第３実施形態を示し、取付紐の斜視図。
【図７】本発明の第３実施形態を示し、絶縁保護布の斜視図。
【図８】本発明の第３実施形態を示し、エレベータロープ保護具を取り付けた状態の斜視図。
【図９】本発明の第４実施形態を示し、（ａ）は取付プレートの正面図、（ｂ）はその平面図。
【図１０】従来例のエレベータロープ保護具を取り付けた状態の斜視図。
【符号の説明】
１Ａ、１Ｂ、１Ｃ、１Ｄ  エレベータロープ保護具
２  本設かご（作業用昇降体）
３、１３  取付プレート（取付部材）
４、１４、２１  絶縁保護布
７  ナット
８  布通しロッド（布装着手段）
９  通し孔
１１  チョウボルト
１２  エレベータロープ
１８  布フック部（布装着手段）
１９  フック用孔
２０ａ、２０ｂ  取付紐（取付部材）
【図１】
0004077201.tif 000002
【図２】
0004077201.tif 000003
【図３】
0004077201.tif 000004
【図４】
0004077201.tif 000005
【図５】
0004077201.tif 000006
【図６】
0004077201.tif 000007
【図７】
0004077201.tif 000008
【図８】
0004077201.tif 000009
【図９】
0004077201.tif 000010
【図１０】
0004077201.tif 000011